(57)【特許請求の範囲】
【請求項１】
平板状に形成される絶縁性樹脂材料からなるセンサ基材に、異種金属としての第１導電性金属素材及び第２導電性金属素材を、各々複数対、面内，外方向に貫通させて、該センサ基材の側面に配列された複数の表面金属層によって、各々接続することにより、複数の熱電対を所望の配列で形成する熱流センサの製造方法であって、
前記第１導電性金属素材及び第２導電性金属素材が配設される第１貫通孔及び第２貫通孔に相当する部分に、該前記第１導電性金属素材及び第２導電性金属素材のうち、少なくとも何れか一方を、金属線材として、所望の間隙を置いて、複数本、平行に張設して、該各金属線材の周囲に間隙を埋めるように、前記センサ基材に用いる絶縁性樹脂材料を充填して、基材樹脂塊を形成すると共に、該各金属線材の延設方向と直交する方向へ、該基材樹脂塊を平板状となるように切断することを特徴とする熱流センサの製造方法。
【請求項２】
平板状に形成された絶縁性樹脂材料からなるセンサ基材に、異種金属として熱電対を構成する第１導電性金属素材及び第２導電性金属素材を、面内，外方向に貫通形成させて配列する第１，第２貫通孔内に、各々設ける熱流センサの製造方法であって、
前記第１導電性金属素材と第２導電性金属素材との間に、面延設方向に沿って延設形成される表面金属層によって、接続することにより、複数の熱電対を所望の配列で設けることを特徴とする熱流センサの製造方法。
【請求項３】
前記各第２貫通孔に挿通された一方の第２導電性金属素材からなる金属線材の端部を、該センサ基材の側面に露出させて、該側面で隣接する前記第１，第２貫通孔間に、前記第１導電性金属素材を付着させて、前記表面金属層を延設形成する際、前記第１貫通孔に、前記第１導電性金属素材を介挿させることで、前記表面金属層と該第１貫通孔内に配置される第１導電性金属素材を、一体に接続することを特徴とする請求項２記載の熱流センサの製造方法。
【請求項４】
前記各第１貫通孔が形成される位置に、予め伸縮性を有する繊維素材を平行に張設して、前記第２導電性金属素材が配設される第２貫通孔に相当する部分に、前記第２導電性金属素材を、該繊維素材と対となるように平行に張設し、該繊維素材及び該第２導電性金属素材の周囲に、間隙を埋めるように、前記センサ基材に用いる絶縁性樹脂材料を充填して、基材樹脂塊を形成すると共に、前記第２導電性金属線素材の延設方向と直交する方向へ、該基材樹脂塊を平板状となるように切断することを特徴とする熱流センサの製造方法。
【請求項５】
前記基材樹脂塊から、前記繊維素材を抜出した後、平板状に切断することを特徴とする請求項４記載の熱流センサの製造方法。
【請求項６】
前記基材樹脂塊から、前記繊維素材を溶解させて取り除いた後、平板状に切断することを特徴とする請求項４記載の熱流センサの製造方法。
【請求項７】
前記繊維素材又は、前記第２金属線材からなる金属線材を、間隔を設けて平行に張設することにより仮固定する治具板片を、板厚方向に積層して組み合わせて構成される熱流センサの製造方法に用いる治具であって、
前記各治具板片には、前記絶縁性樹脂材料を充填して、前記繊維素材又は、前記第２金属線材の金属線材間を固定する流入開口部を、各治具板片の板厚方向へ連設するように開口形成することを特徴とする請求項４乃至６のうち何れか一項記載の熱流センサの製造方法に用いる治具。
【請求項８】
前記治具板片には、前記第１貫通孔を形成する前記繊維素材を間隔を設けて平行に巻付ける表，裏側第１溝部と、前記第２金属線材からなる金属線材を間隔を設けて平行に巻付ける表，裏側第２溝部とが、交互に形成されると共に、該各繊維素材及び該金属線材とが、折り返される折返端面部には、該各繊維素材及び金属線材との間の干渉を防止するガイド突起部が設けられていることを特徴とする請求項７記載の治具。
【発明の詳細な説明】
【技術分野】
【０００１】
この発明は、伝熱測定に用いられる面状の熱流センサの製造方法及び該製造方法に用いる治具に関するものである。
【背景技術】
【０００２】
一般に、例えば、建材としての断熱材の開発等に欠かせない役割を果たしているのが、断熱材の熱伝導率を測定する熱流センサである。
【０００３】
この熱伝導率の測定精度の向上は、断熱材の過剰な使用によるスペースや資源の無駄の防止や、不十分な断熱施工によるエネルギーの無駄を避ける上でも望ましい。
【０００４】
このような建材に用いられる個々の断熱材は、熱伝導率が０．０２Ｗ／ｋ．ｍ（平均気温２０°ｃ）前後であるので、熱伝導率の測定は容易ではないが、建物の一部として実際に用いられる状態若しくは、その状態に近い状態で、内，外壁面パネル材等が、複数組み合わせられた建材となった状態では、内，外側面間を通過する熱流束の測定を行うことにより、比較的に容易に、断熱性能を測定することが出来る。
【０００５】
このような測定には、所謂サーモパイルが、用いられる。このサーモパイルは、複数の熱電対を面状に配列して、直列に接続することにより、熱起電力を集積し、測定精度を向上させるように構成されている（例えば、特許文献１参照）。
【０００６】
このようなサーモパイル自体を構成するセンサ基材は、絶縁性のガラスエポキシ樹脂製の薄板等によって、熱抵抗が小さくなるように薄板状に構成されている。
【０００７】
また、添着された被測定物の表面部位における温度分布差によって、測定される熱流束値が影響を受けないように、複数の熱電対を均等間隔を置いて配列されている。
【特許文献１】特開２００４−３７０９７号公報
【発明の概要】
【発明が解決しようとする課題】
【０００８】
しかしながら、このような従来のサーモパイルでは、被測定物の表面部位に温度分布差による熱流束の測定値への影響が、少なくなるように、微細な寸法を有する多数の異種金属を、小面積のセンサ基材の面内外方向へ貫通させて、均等間隔に配列する必要がある。
【０００９】
このため、貫通孔を形成する孔開け加工や、金属製の熱電対を、この貫通孔に挿通させる作業が、困難である。
【００１０】
また、貫通された貫通孔に交互に挿通される異種金属同士を接続することも困難であり、良好な寸法精度を維持して、熱流束の測定精度を水準以上のものとすることが出来なかった。
【００１１】
そこで、この発明は、異種金属間で形成される複数の熱電対を面状に略等間隔で配列して、良好な測定精度を得られる熱流センサの製造方法及び該製造方法に用いる治具を提供することを目的としている。
【課題を解決するための手段】
【００１２】
上記目的を達成するため、請求項１記載の発明は、平板状に形成される絶縁性樹脂材料からなるセンサ基材に、異種金属としての第１導電性金属素材及び第２導電性金属素材を、各々複数対、面内，外方向に貫通させて、該センサ基材の側面に配列された複数の表面金属層によって、各々接続することにより、複数の熱電対を所望の配列で形成する熱流センサの製造方法であって、前記第１導電性金属素材及び第２導電性金属素材が配設される第１貫通孔及び第２貫通孔に相当する部分に、該前記第１導電性金属素材及び第２導電性金属素材のうち、少なくとも何れか一方を、金属線材として、所望の間隙を置いて、複数本、平行に張設して、該各金属線材の周囲に間隙を埋めるように、前記センサ基材に用いる絶縁性樹脂材料を充填して、基材樹脂塊を形成すると共に、該各金属線材の延設方向と直交する方向へ、該基材樹脂塊を平板状となるように切断する熱流センサの製造方法を特徴としている。
【００１３】
また、請求項２に記載されたものは、平板状に形成された絶縁性樹脂材料からなるセンサ基材に、異種金属として熱電対を構成する第１導電性金属素材及び第２導電性金属素材を、面内，外方向に貫通形成させて配列する第１，第２貫通孔内に、各々設ける熱流センサの製造方法であって、前記第１導電性金属素材と第２導電性金属素材との間に、面延設方向に沿って延設形成される表面金属層によって、接続することにより、複数の熱電対を所望の配列で設ける熱流センサの製造方法を特徴としている。
【００１４】
更に、請求項３に記載されたものは、前記各第２貫通孔に挿通された一方の第２導電性金属素材からなる金属線材の端部を、該センサ基材の側面に露出させて、該側面で隣接する前記第１，第２貫通孔間に、前記第１導電性金属素材を付着させて、前記表面金属層を延設形成する際、前記第１貫通孔に、前記第１導電性金属素材を介挿させることで、前記表面金属層と該第１貫通孔内に配置される第１導電性金属素材を、一体に接続する請求項２記載の熱流センサの製造方法を特徴としている。
【００１５】
そして、請求項４に記載されたものは、前記各第１貫通孔が形成される位置に、予め伸縮性を有する繊維素材を平行に張設して、前記第２導電性金属素材が配設される第２貫通孔に相当する部分に、前記第２導電性金属素材を、該繊維素材と対となるように平行に張設し、該繊維素材及び該第２導電性金属素材の周囲に、間隙を埋めるように、前記センサ基材に用いる絶縁性樹脂材料を充填して、基材樹脂塊を形成すると共に、前記第２導電性金属線素材の延設方向と直交する方向へ、該基材樹脂塊を平板状となるように切断する熱流センサの製造方法を特徴としている。
【００１６】
また、請求項５に記載されたものは、前記基材樹脂塊から、前記繊維素材を抜出した後、平板状に切断する請求項４記載の熱流センサの製造方法を特徴としている。
【００１７】
更に、請求項６に記載されたものは、前記基材樹脂塊から、前記繊維素材を溶解させて取り除いた後、平板状に切断する請求項４記載の熱流センサの製造方法を特徴としている。
【００１８】
また、請求項７に記載されたものは、前記繊維素材又は、前記第２金属線材からなる金属線材を、間隔を設けて平行に張設することにより仮固定する治具板片を、板厚方向に積層して組み合わせて構成される熱流センサの製造方法に用いる治具であって、前記各治具板片には、前記絶縁性樹脂材料を充填して、前記繊維素材又は、前記第２金属線材の金属線材間を固定する流入開口部を、各治具板片の板厚方向へ連設するように開口形成する請求項４乃至６のうち何れか一項記載の熱流センサの製造方法に用いる治具を特徴としている。
【００１９】
そして、請求項８に記載されたものは、前記治具板片には、前記第１貫通孔を形成する前記繊維素材を間隔を設けて平行に巻付ける表，裏側第１溝部と、前記第２金属線材からなる金属線材を間隔を設けて平行に巻付ける表，裏側第２溝部とが、交互に形成されると共に、該各繊維素材及び該金属線材とが、折り返される折返端面部には、該各繊維素材及び金属線材との間の干渉を防止するガイド突起部が設けられている請求項７記載の治具を特徴としている。
【発明の効果】
【００２０】
このように構成された請求項１記載の発明によれば、所望の間隔を置いて配列された金属線材が、前記基材樹脂塊内では平行に張設された状態で、相対位置が移動しないように、固定される。
【００２１】
このため、前記センサ基材の外型形状となるように、該基材樹脂塊を、各金属線材が平行に延設される方向と直交する方向へ、平板状に切断すると、面内外方向へ貫通した金属素材が、所望の間隔を置いて、各切断された側面と直交するように、良好な位置精度で配列される。
【００２２】
従って、比較的小面積のセンサ基材に、貫通孔を複数形成する孔開け加工や、金属製の熱電対を、該各貫通孔内に挿通させる作業等が、不要である。
【００２３】
また、前記金属線材が、前記基材樹脂塊によって固定される前に、平行に張設された位置の精度を良好なものとすることにより、隣接配置される異種金属間の寸法精度及び平行度や或いは、面内外方向への配列角度の精度を向上させることが出来る。
【００２４】
更に、前記貫通孔に交互に挿通される異種金属同士を接続する際には、前記センサ基材の一側面に、所望の間隔、例えば、整列された均等間隔を置いて、接続される金属線材の各端部を配列させて、一度に複数の接続作業性を行うことが出来る。
【００２５】
また、例えば、配列パターンと接続される各端部の位置とを、予め設定することにより、異種金属同士が接続された熱電対を、直列接続となるように接続することもできる。
【００２６】
従って、異種金属間で形成される熱電対の配列精度を良好なものとすることにより、熱流束の測定精度を水準以上のものとすることが出来る。
【００２７】
そして、請求項２に記載されたものは、面内外方向に挿通される熱電対を構成する異種金属間が、面延設へ流された溶融材料で構成された金属層によって接続される。
【００２８】
このため、前記センサ基材の内部に、熱電対を構成する第１導電性金属素材及び第２導電性金属素材を平行状態を維持したまま、各側面と直交させて配置出来、熱電対の長さや、配列間隔を整えることが出来る。
【００２９】
更に、請求項３記載のものでは、面内外方向に挿通される熱電対を構成する異種金属間が、面延設へ流された溶融材料で構成された金属層によって接続される。
【００３０】
この際、前記他方の第１貫通孔に、熱溶融された第１導電性金属が流入して、固定されることにより、該第１貫通孔内に、第１導電性金属で構成された熱電対材料が同時に配線される。
【００３１】
そして、前記金属層によって、該第１貫通孔内の該第１導電製金属と、隣接する第２貫通孔内の第２導電性金属とが異種間金属接続されると、センサ基材の表面に測定代表点が配列された熱電対の配線が略完了する。
【００３２】
このため、比較的小さな面積のセンサ基材に、複数の熱電対を良好な位置精度で配列出来、面内の分布を均等なものとすることが出来る。
【００３３】
また、請求項４に記載されたものは、前記基材樹脂塊に形成された第２貫通孔内の第２金属線材と共に平行に張設された前記繊維素材によって、該第２金属線材と熱電対を構成する第１導電性金属素材が配列される第１貫通孔を、所望の位置に形成することが出来る。
【００３４】
この為、異種金属である第１，第２導電性金属を同時に配列させる必要が無く、熱電対として用いることが出来る導電性金属素材の多様性を拡大し、製造工程の煩雑化を抑制出来る。
【００３５】
更に、請求項５に記載されたものは、該基材樹脂塊から、抜出される繊維素材が、伸縮性を有しているので、抜出時に該繊維素材に長手方向の張力が加わると、該繊維素材の外径寸法が、縮径方向へ小さくなるように変形する。
【００３６】
このため、第１貫通孔の内側面と該繊維素材の外周面との間に、間隙が形成されて、前記第１貫通孔の内側面から、該繊維素材が、離間するので抜出しやすい。
【００３７】
そして、前記基材樹脂塊が、切断されて平面状に成型されると、センサ基材の面延設方向と直交する方向へ、第１貫通孔が、貫通状態で開孔形成される。
【００３８】
該第１貫通孔が形成される位置は、前記繊維素材が、前記第２貫通孔内の第２導電性金属素材と平行となるように張設されて、仮固定された位置である。
【００３９】
このため、各第１，第２貫通孔の形成される位置は、所望の位置に良好な寸法位置精度を有して形成出来る。
【００４０】
従って、更に、良好な寸法精度を保って、熱電対を配列出来て、面延設方向で、熱電対の密度が、略均等なセンサ基材を得られ、測定精度を向上させることが出来る。
【００４１】
また、請求項６に記載されたものは、該基材樹脂塊内に埋設された繊維素材を、水等によって溶解させることにより、抜出時に該繊維素材を容易に取り除くことが出来る。
【００４２】
更に、請求項７に記載されたものは、複数枚の治具板片によって、複数の前記第２金属線材又は、複数の繊維素材が、平行に張設されて、所望の間隔で仮固定される。
【００４３】
該治具板片が、板厚方向に積層されて組み合わせられると、各治具板片に開口形成された流入開口部が、板厚方向へ向けて連設されて、前記絶縁性樹脂材料を該流入開口部から、容易に流入させて行き渡らせることが出来る。
【００４４】
また、請求項８に記載されたものは、前記治具板片に形成された表，裏側第１溝部に対して、前記第１貫通孔を形成する前記繊維素材が、各々平行となるように巻付けられると共に、交互に形成される表，裏側第２溝部に対して、前記第２金属線材が平行となるように巻付けられる。
【００４５】
この際、該各繊維素材及び第２金属線材とが、折り返される折返端面部に設けられているガイド突起部によって、該各繊維素材及び第２金属線材との間の干渉が防止されて、各繊維素材及び第２金属線材間の平行状態が、ズレてしまう虞が無い。
【００４６】
従って、更に、良好な寸法精度を保って、熱電対を配列出来て、面延設方向で、熱電対の密度が略均等なセンサ基材を得られ、測定精度を向上させることが出来る。
【図面の簡単な説明】
【００４７】
【図１】この発明の実施の形態の熱流センサを構成するセンサ基材の要部を示し、全体の構成を説明する一側面側の平面図である。
【図２】実施の形態の実施例１の熱流センサの製造方法に用いる治具を構成する治具板片の模式的な斜視図である。
【図３】実施の形態の実施例１の熱流センサの製造方法に用いる治具板片で、（ａ）は、背面図、（ｂ）は平面図、（ｃ）は正面図、（ｄ）は側面図である。
【図４Ａ】実施の形態の熱流センサの製造方法で、治具板片に、金属線材を巻付ける様子を説明する模式的な斜視図である。
【図４Ｂ】実施の形態の熱流センサの製造方法で、治具板片に、繊維素材を巻付ける様子を説明する模式的な斜視図である。
【図４Ｃ】実施の形態の熱流センサの製造方法で、複数の治具板片を、台座に積層して装着する様子を説明する模式的な斜視図である。
【図５】実施の形態の熱流センサの製造方法で、図４Ｃの要部の拡大斜視図である。
【図６】実施の形態の熱流センサの製造方法で、治具を台座ごと、液状樹脂材槽に浸ける様子を説明する分解斜視図である。
【図７】実施の形態の熱流センサの製造方法で、治具を台座ごと、液状樹脂材槽に浸けている様子を説明する図６中Ｃ−Ｃ線に沿った位置に対応する位置での断面図である。
【図８】実施の形態の熱流センサの製造方法で、治具を台座から取り外し、治具から硬化した基材樹脂塊を取り外した様子を説明する模式的な斜視図である。
【図９】実施の形態の熱流センサの製造方法で、（ａ）は、硬化した基材樹脂塊から、繊維素材を引き抜く様子を説明する模式的な斜視図、（ｂ）は、硬化した基材樹脂塊を平板状に切断する様子を説明する模式的な斜視図である。
【図１０】実施の形態の実施例１の熱流センサの製造方法に用いる治具板片に繊維素材を巻付けた様子を示し、（ａ）は、背面図、（ｂ）は平面図、（ｃ）は正面図、（ｄ）は側面図である。
【図１１】実施の形態の実施例１の熱流センサの製造方法に用いる治具板片に繊維素材を巻付けてから、金属線材を巻付ける様子を示し、（ａ）は、背面図、（ｂ）は平面図、（ｃ）は正面図、（ｄ）は側面図である。
【図１２】実施の形態の実施例１の熱流センサの製造方法に用いる治具板片に、繊維素材及び金属線材が巻付けられた様子を示し、（ａ）は、背面図、（ｂ）は平面図、（ｃ）は正面図、（ｄ）は側面図である。
【図１３】実施の形態の熱流センサの製造方法で、（ａ）は、平板状のセンサ基材にエッチングを施す様子を説明する模式的な斜視図、（ｂ）は、センサ基材に、銅メッキ処理を施す様子を説明する模式図、（ｃ）は、表面金属層及び端子片が形成されたサーモパイルの模式的な斜視図である。
【図１４】実施の形態の熱流センサで、平板状に成型されたエポキシ樹脂製のセンサ基材を示す平面図である。
【図１５】実施の形態の熱流センサで、表面金属層と、第１，第２貫通孔との位置関係を示す上面図である。
【図１６】実施の形態の熱流センサで、表面金属層と、第１，第２貫通孔との位置関係を示す下面図である。
【図１７】実施の形態の熱流センサで、図１中Ｅ部を拡大した平面図である。
【図１８】実施の形態の熱流センサで、図１７中Ｄ−Ｄ線に沿った位置での断面図である。
【図１９】実施の形態の実施例２の熱流センサの製造方法で、複数の治具板片を積層した様子を説明する治具の側面図である。
【発明を実施するための最良の形態】
【００４８】
以下、この発明の実施の形態の熱流センサを、図面に基づいて説明する。
【００４９】
図１乃至図１９は、熱伝導率等を測定するための熱電対を、複数対、面状に配置した熱流センサの製造方法及びこの製造方法に用いる治具を示したものである。
【００５０】
まず、図１，図１３乃至図１８を用いて、この実施の形態の熱流センサとしてのサーモパイル１の構成について説明する。
【００５１】
この実施の形態のサーモパイル１では、前記熱流センサ本体として測定代表点の絶対温度を個別に測定可能な熱電対３…が、図１に示すようなエポキシ樹脂製の絶縁性を有するセンサ基材２に、所望の配列及びピッチを有して、面内，外方向へ貫通されて、配置されている。
【００５２】
このサーモパイル１は、主に、平板状に形成される絶縁性樹脂材料としてのエポキシ樹脂製のセンサ基材２に、複数の熱電対３…が配列されて、測定代表点の絶対温度を個別に測定可能である他、局所的な温度差あるいは温度勾配に比例した電圧を出力して、これらの複数の熱電対３…が、端子片７，８間で直列に接続されることにより、一側面側が添接される被測定物の熱流束が、測定可能とされている。
【００５３】
すなわち、図１４に示すように、このセンサ基材２には、縦横にマトリックス状に配列された多数（又は複数）の第１貫通孔５…と、縦横にマトリックス状に配列された多数（又は複数）の第２貫通孔６が、貫通形成されている。
【００５４】
このうち、前記多数（又は複数）の第１貫通孔５…は、貫通孔行５Ｌ１，５Ｌ２，５Ｌ３…５Ｌｉ…５Ｌｎと、貫通孔列５Ｃ１，５Ｃ２，５Ｃ３…５Ｃｉ…５Ｃｎとを有して、等間隔に配列されている。
【００５５】
また、多数（又は複数）の第２貫通孔６…は、貫通孔行６Ｌ１，６Ｌ２，６Ｌ３…６Ｌｉ…６Ｌｎと、貫通孔列６Ｃ１，６Ｃ２，６Ｃ３…６Ｃｉ…６Ｃｎとを有して、等間隔に配列されている。
【００５６】
更に、この第１貫通孔５…と第２貫通孔６…とは、貫通孔行５Ｌ１，５Ｌ２，５Ｌ３…５Ｌｉ…５Ｌｎと、貫通孔行６Ｌ１，６Ｌ２，６Ｌ３…６Ｌｉ…６Ｌｎとして、前記端子片７，８から離間する面延設方向に、交互に等間隔で配列され、貫通孔列５Ｃ１，５Ｃ２，５Ｃ３…５Ｃｉ・…５Ｃｎと、貫通孔列６Ｃ１，６Ｃ２，６Ｃ３…６Ｃｉ…６Ｃｎとは、前記端子片７，８間で交互に等間隔で、前記各貫通孔行５Ｌｎ，６Ｌｎ及び貫通孔列５Ｃｎ，６Ｃｎ…が、直交するように配列されている。
【００５７】
しかも、前記貫通孔行５Ｌ１，５Ｌ２，５Ｌ３…５Ｌｉ…５Ｌｎと、貫通孔行６Ｌ１，６Ｌ２，６Ｌ３…６Ｌｉ…６Ｌｎとは、半ピッチズレて配列され、貫通孔列５Ｃ１，５Ｃ２，５Ｃ３…５Ｃｉ…５Ｃｎと、貫通孔列６Ｃ１，６Ｃ２，６Ｃ３…６Ｃｉ…６Ｃｎとは、半ピッチズレて配列されることにより、マトリクス状を呈するように形成されている。
【００５８】
尚、説明の便宜上、多数（又は複数）の第１貫通孔５…と、多数（又は複数）の第２貫通孔６…とが、マトリックス状に形成されている例を示したが、多数（又は複数）の第１貫通孔５…及び第２貫通孔６…のうち、配線に使用しない部分は省略しても良い。
【００５９】
そして、この実施の形態では、図１４に示す各第１貫通孔５…には、一方の異種金属として銅製で、しかも、筒状を呈する第１金属接続体（第１導電性金属）１２…が、それぞれ介挿されて、図１８に示すように、内筒側面に一体となるように固着されている。
【００６０】
また、図１４に示す各第２貫通孔６…には、前記熱電対３の他方の異種金属で、第２導電性金属としてのコンスタンタンによって構成される第２金属接続体１１…が、介挿されている。
【００６１】
これらの各第２貫通孔６に介装される中実状の第２金属接続体（第２導電性金属）１１は、コンスタンタン製で、略丸棒状を呈することにより、各第２貫通孔６の各内筒側面に一体となるように固着されている。
【００６２】
また、前記第１金属接続体１２は、銅製で、第１貫通孔５内側面に、銅メッキにより層状に形成されることにより、面内，外方向に長手方向を有する円筒状を呈する様に形成されている。
【００６３】
この第１金属接続体１２としての銅は、第２導電性金属としてのコンスタンタンに比して高い熱伝導率を有することが知られている。
【００６４】
また、第２金属接続体１１は、略丸棒状のコンスタンタンを第２貫通孔６に嵌合することにより、第２貫通孔６の各内筒側面に挿通されて、嵌着されている。
【００６５】
更に、センサ基材２の一方の側面２ａには、図１に示すように、平面視略矩形状を呈する多数（又は複数）の第１表面金属層９…が、配列されている。
【００６６】
このセンサ基材２の側面２ａとは、反対側（他方）の側面２ｂには、図１７に示すように、平面視略矩形状を呈する多数（又は複数）の第２表面金属層１０…が、配列されている。
【００６７】
これらの第１，第２表面金属層９…，１０…は、第１金属接続体１２として用いられる銅製と同じ金属素材で構成されていて、両側面２ａ，２ｂに、銅メッキ処理が施される際に、各々表層に付着して層状となるように形成されている。
【００６８】
そして、面内，外方向に長手方向を有する円筒状の前記第１金属接続体１２の両端部と一体となるように接続されている。
【００６９】
このような熱電対３…を形成するには、先ず線状のコンスタンタンを、第２貫通孔６に介挿して、第２金属接続体１１として嵌合する。
【００７０】
次に、センサ基材２の両側面２ａ，２ｂのエポキシ樹脂層を全体に渡ってカットして、若しくは、削り取って、各第２貫通孔５…の端縁から、第２金属接続体１１の端部を露出させる。
【００７１】
この後、センサ基材２の両側面２ａ，２ｂ全体に、前記端子片７，８及び、各第１表面金属層９…，第２表面金属層１０…を形成する略等しい所定厚さの銅メッキを施すことにより、センサ基材２の両側面２ａ，２ｂに図示しない銅層（導電性金属で構成される表面金属層）が、略全面に渡り形成される。
【００７２】
この両側面２ａ，２ｂに銅メッキが施される際、前記各第１貫通孔５…の内面にも、銅メッキが施されて銅層の一部が付着し、図１又は図１８に示す銅層（導電性金属層）からなる第１表面金属層９…と、第２表面金属層１０…との間が、連結接続された状態となるように、第１金属接続体１２…が、各第１貫通孔５…内で、円筒状を呈するように形成される。
【００７３】
この銅メッキによって生成されて、センサ基材２の両側面２ａ，２ｂ全面に亘り、蒸着された銅層は、前記各第２金属接続体１１の両端に接合されると共に、前記各第１貫通孔５…の両端部から、第１貫通孔５…内に流入した第１金属接続体１２を構成する銅製銅製素材によって、両側面２ａ，２ｂの銅層同士が電気的に接続される。
【００７４】
そして、センサ基材２の各両側面２ａ，２ｂ全体に形成された銅層は、図１３に示す様に、エッチング処理が施され、前記端子片７，８及び複数の第１，第２表面金属層９…，１０…が、必要な部分として交互に残されていて、各第１金属接続体１２…及び、第２金属接続体１１…の端部が、両端子片７，８間で直列となるように接続される配列となる。
【００７５】
すなわち、図１５中二点鎖線で示す位置には、センサ基材２の一方の側面２ａ上に短冊状（長方形状）の第１表面金属層９…が、ジグザグに複数個、配列され、図１６中二点鎖線で示す位置には、短冊状（長方形状）の第２表面金属層１０…が、他方の側面２ｂ上にジグザグに複数個、配列される様にエッチング処理が施される。
【００７６】
この第１表面金属層９…と、第２表面金属層１０…とは、図１に示すように、両端部が、前記センサ基材２の面内外方向で、重複する位置となるように、長手方向を直交させて配置される。
【００７７】
そして、各第１金属接続体１２…と、各第２金属接続体１１…とが、これらの第１，第２表面金属層９…，１０…を各々介在させた直列回路の両端に設けられる前記端子片７，８からは、添着された被測定物の表面部位における熱流が、温度分布差によって影響を受けにくい熱流束値として、測定可能である。
【００７８】
また、この実施の形態では、第１金属接続体１２は、熱伝導率が、約４０３Ｗ／ｍ・Ｋの銅製であり、第２金属接続体１１は、熱伝導率が、約２２Ｗ／ｍ・Ｋのコンスタンタンが用いられている。このため、銅製の第１金属接続体１２の熱伝導率は、コンスタンタン製の第２金属接続体１１の熱伝導率の略１８倍となる。
【００７９】
この結果、第１金属接続体１２と、第２金属接続体１１の断面積が同じであれば、センサ基材２の側面２ｂから側面２ａに移動する熱量は、銅製の第１金属接続体１２の方が、コンスタンタン製の第２金属接続体１１よりも略１８倍も多くなるので、被測定物の熱伝達率の測定が困難になる。
【００８０】
従って、熱伝達率の測定を正確に行うためには、第１金属接続体１２と第２金属接続体１１とを介してセンサ基材２の一側の面から他側の面に移動する熱量とを、近似若しくは、同一となるように設定しなければならない。
【００８１】
このように、第１金属接続体１２と第２金属接続体１１とは、熱伝達率（熱流量すなわち熱移動量）が、略同じになるように、前記第１貫通孔５の内部の第１金属接続体１２の断面積が、比較的小径で小さくなるように設定されるか、若しくは、円筒中空状で、センサ基材２の両側面２ａ，２ｂ間を貫通するスルーホールが形成されることにより、近似若しくは、同一となるように調整されている。
【００８２】
即ち、第１金属接続体１２が、銅製の金属素材で構成されて、且つ第２金属接続体１１が、コンスタンタン製の金属素材で構成される場合には、前記各第１貫通孔５…の内部の第１金属接続体１２…の長手方向長さ寸法を、センサ基材２の板厚方向で、全て均一とする条件の下では、各第２金属接続体１１…の各第２貫通孔６…内の断面積よりも、通電が可能な範囲で小さく、若しくは、約１／１８の断面積に、この第１金属接続体１２…の各断面積を設定することにより、第１金属接続体１２と第２金属接続体１１との熱伝達率（熱流量すなわち熱移動量）を、容易に近似若しくは、略同一となるように設定することができる。
【００８３】
次に、この実施の形態の熱流センサの製造方法の作用効果について説明する。
【００８４】
このように構成された実施の形態の熱流センサの製造方法では、サーモパイル１のセンサ基材２の面内外方向に挿通された各熱電対３…を構成する第１金属接続体１２…と、第２金属接続体１１…との間が、例えば図１３に示すメッキ処理等が施される際、面延設へ付着された銅製材料で構成された第１表面金属層９…及び第２表面金属層１０…とによって、直列に接続される。
【００８５】
このため、前記センサ基材２の内部に、熱電対３を構成する第１導電性金属素材としての銅材及び第２導電性金属素材を構成するコンスタンタン製の線材が、平行に配列された状態を維持したまま、各側面２ａ，２ｂの面延設方向と直交するように垂直に固定出来る。
【００８６】
また、同一厚さ方向寸法を有するセンサ基材２に、平行でしかも、面延設方向と直交するように垂直に設けられる熱電対３…を構成する各第１金属接続体１２…と、第２金属接続体１１…との面内，外方向の長さ方向寸法は、面延設方向の全ての部分で、略同一長さとすることが出来る。
【００８７】
しかも、各側面２ａ，２ｂに対して、各第１金属接続体１２…及び、第２金属接続体１１…を直交させて配置出来、配設角度や配列間隔を、第１貫通孔５…及び第２貫通孔６…の開孔形成位置により規則的に整えることが出来る。
【００８８】
このため、図１８に示すように、板厚方向である熱流の伝達方向と、熱電対３…の温度差を検出する測定代表点が形成される各第１金属接続体１２…及び第２金属接続体１１…の長手方向とを一致させることが出来て、測定精度を向上させることが出来る。
【００８９】
更に、面内外方向に挿通される熱電対３…を構成する第１貫通孔５…内の各第１金属接続体１２…の各端部と、前記第２貫通孔６内の第２金属接続体１１の各端部との間が、面延設へ銅メッキ処理を施す際、銅材料で形成される第１，第２表面金属層９…，１０…によって、両側面２ａ，２ｂで同時に接続される。
【００９０】
この際、前記他方の第１貫通孔５の内側面に、溶融金属材料である銅製の第１導電性金属が付着して、銅製の金属材料で構成された熱電対３の一方の第１金属接続体１２…が同時に配線される。
【００９１】
そして、前記第１，第２表面金属層９…，１０…によって、この第１貫通孔５…内の銅製の第１金属接続体１２と、隣接する第２貫通孔６…内の第２金属接続体１１とが異種間金属接続されると、センサ基材２の表面に測定代表点が、多数配列された熱電対３…の直列配線接続が略完了する。
【００９２】
このため、比較的小さな面積のセンサ基材２に、複数の熱電対３…を良好な位置精度で、正確にマトリクス状に配列出来、面内の分布を均一なものとすることが出来る。
【００９３】
また、図１に示す配列パターンによって接続される各第１貫通孔５…内の銅製の第１金属接続体１２と、隣接する第２貫通孔６…内の第２金属接続体１１との各端部位置が、予め前記両側面２ａ，２ｂの各第１，第２表面金属層９…，１０…が、面内，外方向で重なる部分に設定されている。
【００９４】
このため、異種金属同士が接続される多数の熱電対３…を、前記端子片７，８間で、直列接続となるように一度に接続することができる。
【００９５】
従って、異種金属間で形成される熱電対３…の配列精度を良好なものとすることが出来ると共に、複数の熱電対３…を直列に接続して、温接続点の分布を均等化することにより、熱流束の測定精度を向上させることが出来る。
【実施例１】
【００９６】
図２乃至図１３は、この発明の実施の形態の実施例１の熱流センサとしてのサーモパイル１の製造方法及びこのサーモパイル１の製造方法に用いる治具を示すものである。
【００９７】
なお、前記実施の形態と同一乃至均等な部分については、同一符号を付して説明する。
【００９８】
まず、図２及乃至図６を用いて、この実施例１のサーモパイルの製造方法に用いる治具１５の構成について説明する。
【００９９】
この実施例１では、主に、図２及び図３に示すような合成樹脂製の治具板片１６…が、複数枚、板厚方向に積層されて組み合わせられて、図４Ｃに示すように、四隅に円柱形状の組付ガイドピン３１…が、立設された底面部３２を有する台座３０に纏めて装着されることにより、基材樹脂塊４０の型枠となる治具１５が、構成されている。
【０１００】
この治具１５は、図６に示すように、液状樹脂材槽４２内に貯留された絶縁性樹脂材料としてのエポキシ樹脂からなる液状樹脂材４１内に、浸けられる。
【０１０１】
図７に示すように治具１５を液状樹脂材４１内に含浸させると、型枠形状に沿わせて、この液状樹脂材４１が流し込まれて、充填される。そして、この液状樹脂材４１が硬化されることにより、前記略直方体形状の基材樹脂塊４０となって、型取りされるように構成されている。
【０１０２】
この実施例１の治具板片１６は、合成樹脂製で、図２及び図３に示すように、略中央部に、流入開口部１７を有する厚板略平板形状を呈している。
【０１０３】
この流入開口部１７は、図３中（ｂ）に示すように、平面視略長方形形状を呈していて、図４Ｃに示す板厚方向に積層された連設状態では、これらの各治具板片１６…の流入開口部１７…の四方に位置する各周縁位置が、積層方向に一致して連続する略直方体形状の型枠が、形成されるように構成されている。
【０１０４】
そして、これらの流入開口部１７…によって形成された空洞部分に、前記絶縁性樹脂材料の液状樹脂材４１が充填されることにより、略直方体形状の基材樹脂塊４０が、型取りされるように構成されている。
【０１０５】
また、図２及び図３に示すように、これらの各治具板片１６の流入開口部１７の長手方向両側縁部１７ａ，１７ｂの上，下両側面には、前記センサ基材２に、第１貫通孔５…を形成する繊維素材２０を間隔を設けて平行に巻付ける表，裏側第１溝部としての複数の繊維素材ガイド溝１８…が、凹設形成されている。
【０１０６】
これらの繊維素材ガイド溝１８…は、各上，下両側面の側縁延設方向に一定間隔を置いて、並設されると共に、上，下両側面では、図３中（ａ）（ｃ）に示すように、上，下方向位置を、上，下両側面の各対の繊維素材ガイド溝１８，１８で一致させている。
【０１０７】
また、この繊維素材ガイド溝１８…には、伸縮性を有するナイロン製の繊維素材２０が、係合されてガイドを行い、例えば、図１１中（ｂ）に示すように、一本の長尺状態のまま順次巻付けられて、対向する長手方向両側縁部１７ａ，１７ｂ間で、平行に張設されるように構成されている。
【０１０８】
更に、この治具板片１６の流入開口部１７の長手方向両側縁部１７ａ，１７ｂの上，下両側面には、前記第２金属線材からなる金属線材２１が、間隔を設けて平行に巻付けられる表，裏側第２溝部としての複数の金属線材ガイド溝１９…が、前記繊維素材ガイド溝１８，１８間に、これらの繊維素材ガイド溝１８…と交互になるように、凹設形成されている。
【０１０９】
これらの金属線材ガイド溝１９…は、各上，下両側面の側縁延設方向に一定間隔を置いて、並設されると共に、上，下両側面では、図３中（ａ）（ｃ）に示すように、上，下方向位置を、上，下両側面の各対の繊維素材ガイド溝１８，１８と一致させている。
【０１１０】
そして、この金属線材ガイド溝１９…には、熱電対３…を構成し、銅材とは他方の異種金属となる第２金属素材のコンスタンタン製による金属線材２１が係合されて、ガイドが行われる。
【０１１１】
更に、この実施例１では、図１２中（ｂ）に示すように、一本の長尺状態のまま、この金属線材２１が順次巻付けられて、対向する長手方向両側縁部１７ａ，１７ｂ間で、相互に平行に張設されると共に、前記長手方向両側縁部１７ａ，１７ｂ間に、平行に張設される各繊維素材２０…に対しても、平行でしかも等間隔が設けられて、交互に張設されるように構成されている。
【０１１２】
また、図５に示すように、前記第２金属素材の各金属線材ガイド溝１９…には、前記長手方向の側縁部１７ｂのうち、前記各繊維素材２０及び金属線材２１とが、折り返される折返端面部１７ｃには、各繊維素材２０…及び金属線材２１…が、マトリクス状に半ピッチずつ、づらされて平行配置されても、交差部分で、各繊維素材２０…及び金属線材２１…との間の干渉を防止するガイド突起部２４，２４が、各々一体に突設されている。
【０１１３】
このガイド突起部２４，２４は、側面視略多角形形状を呈して、図１２中（ｃ）に示されるように、折返端面部１７ｃの上，下一対の繊維素材ガイド溝１８，１８間では、前記繊維素材２０を直線状に配索する切込部２５を有すると共に、折り返しにより、斜めに配索される金属線材２１を、ガイドする斜め一対の金属線材ガイド溝１９，１９間では、角部２６が、金属線材２１の一部に当接して、屈曲させることにより、前記繊維素材２０の折り返し点の真上を通らないように回避する構成としている。
【０１１４】
そして、これらの金属線材ガイド溝１９…は、前記繊維素材ガイド溝１８…と交互に形成されると共に、板厚方向の溝深さ寸法も、異なるように形成されている。
【０１１５】
また、この各治具板片１６の四隅近傍には、これらの巻付けられた繊維素材２０及び金属線材２１の各端部を係止して、仮固定する仮固定スリット部２２…が、各々開孔形成されている。
【０１１６】
更に、この実施例１では、前記繊維素材２０…及び、前記金属線材２１…が、平行に仮固定される各流入開口部１７…が、各治具板片１６…を板厚方向へ連設する際に、積層方向で一致するように、前記台座３０から突設形成された組付ガイドピン３１…を各々挿通する組付ガイド孔部２３…が、各治具板片１６…の四隅近傍に各々開孔形成されている。
【０１１７】
この実施例１では、各治具板片１６…が、同一形状を呈して、各流入開口部１７内に張設された対応する前記繊維素材２０…及び金属線材２１…が、板厚方向で、同一位置に位置決めされるように構成されている。
【０１１８】
次に、この実施例１の熱流センサの製造方法及び該製造方法に用いる治具の作用効果について、サーモパイル１の製造順序に沿って説明する。
【０１１９】
この実施例１のサーモパイル１の製造に用いる治具１５では、複数枚の治具板片１６…が、組み合わせられて、型枠が形成される。この実施例１では、図１に示すようなサーモパイル１に用いる略正方形で、熱電対の配列が、マトリクス状となるようにセンサ基材２…を形成するため、図１４に示す各第１貫通孔５…及び第２貫通孔６…の縦横の行列数ｎ，ｎを、同一の各１０行、１０列づつとした場合、必要とされる横列数を満たすために、図２に示す治具板片１６…を５枚以上、用いる。
【０１２０】
まず、図４Ａに示されるように、各治具板片１６に、長尺状の繊維素材２０が、巻付けられる。
【０１２１】
この実施例１では、繊維素材２０であるナイロン繊維の径を約０．１５ｍｍとしている。  図１０に示すように、繊維素材２０の一端は、例えば、一側縁部１７ｂ側等、何れかの前記仮固定スリット部２２に係止させて、略一定の張力が与えられながら、前記各側縁部１７ａ，１７ｂで上，下に隣接する繊維素材ガイド溝１８…に沿って、折り返されて、前記流入開口部１７内の空洞内で、往復されることにより、相互に平行で、しかも等間隔に配索される。
【０１２２】
この際、図１０中（ｃ）に示されるように、一側縁部１７ｂ側では、ガイド突起部２４，２４によって、繊維素材２０の一部が、押圧されて屈曲されながら、上下方向斜めに位置する繊維素材ガイド溝１８…に向けられて折り返される。
【０１２３】
そして、反対側の仮固定スリット部２２に、この繊維素材２０の他端が、係止されて、一本の繊維素材２０が、前記流入開口部１７内では、複数本の繊維素材２０となり、平行に、しかも等間隔を有して、前記治具板片１６に対して仮固定される。
【０１２４】
次に、図４Ｂに示すように、前記繊維素材２０が巻付けられた各治具板片１６に、長尺状の金属線材２１が巻付けられる。
【０１２５】
この実施例１では、金属線材であるコンスタンタンの径を、約０．１ｍｍとしている。
【０１２６】
図１１に示すように、金属線材２１の一端が、例えば、一側縁部１７ａ側等の何れかの前記仮固定スリット部２２に係止されて、略一定の張力が与えられながら、上，下に隣接する金属線材ガイド溝１９…に沿って係合ガイドされて、前記各側縁部１７ａ，１７ｂで、数回、折り返されて前記流入開口部１７の空間内を往復されることにより、相互に平行で等間隔を有すると共に、前記各繊維素材２０…に対しても、平行に配索される。
【０１２７】
そして、図１２に示すように、反対側の仮固定スリット部２２に、この金属線材２１の他端が、係止されて、一本の金属線材２１が、前記流入開口部１７内では、複数本の金属線材２１…となり、前記各繊維素材２０…とは、半ピッチずらされた状態で、平行に、しかも等間隔を有して、前記治具板片１６に対して仮固定される。
【０１２８】
このように、前記繊維素材２０と、金属線材２１とが巻付けられて、平行に仮固定された前記治具板片１６…を複数枚用意して、図４中（ｃ）に示すように、前記台座３０に組み付ける。
【０１２９】
この際、前記台座３０の底面部３２の四隅に設けられた前記各組付ガイドピン３１…が、前記治具板片１６…に開孔形成されている各組付ガイド孔部２３…に対して、挿通されて、前記各流入開口部１７…の各開口周縁の位置が、面延設方向で一致して、内側面に段差を設けることが無い。
【０１３０】
このため、前記治具板片１６…の各側縁部１７ａ，１７ｂは、上，下方向で揃い、各側縁部１７ａ，１７ｂ間の流入開口部１７…に平行に配索された各繊維素材２０…及び、金属線材２１…とは、積層方向で、平行に揃い、治具１５の組み付けが略完了する。
【０１３１】
次に、図６に示すように、この組み付けられた治具１５を前記台座３０ごと、前記液状樹脂材槽４２内に浸けると、貯留されたエポキシ樹脂からなる液状樹脂材４１が、図７に示すように治具１５の型枠形状に沿わせて含浸して、前記流入開口部１７…で形成されている空隙内に流し込まれ、充填されて型取りが行われる。
【０１３２】
前記流入開口部１７…で形成されている空隙内に流し込まれた液状樹脂材４１は、各繊維素材２０…及び、各金属線材２１…間の間隙を埋めるように、円滑に行き渡り、空洞部分を残存させる可能性を減少させることができる。
【０１３３】
更に、図７に示すように、前記流入開口部１７…によって形成されている空隙の上方を開放しておくことにより、前記液状樹脂材４１の充填状況を目視で確認することも出来る。
【０１３４】
一定時間経過後等、所望の硬度まで、前記液状樹脂材４１が硬化した後、図８に示すように、前記液状樹脂材槽４２から引き上げた治具１５から、略直方体形状の基材樹脂塊４０が、取り外される。
【０１３５】
前記基材樹脂塊４０内では、平行に張設された状態で、相対位置が変動しないように、所望の間隔を置いて配列された各金属線材２１…及びナイロン製の繊維素材２０…が、固定されている。
【０１３６】
次に、図９中（ａ）に示すように、前記基材樹脂塊４０から、各繊維素材２０…の突出している各端部を把持して、引き抜く。
【０１３７】
基材樹脂塊４０から、抜出されるナイロン製の繊維素材２０…は、伸縮性を有しているので、抜出時に各繊維素材２０…に長手方向の張力が加わると、繊維素材２０…の長手方向への伸長に伴い、外径寸法が縮径方向へ向けて小さくなるように変形する。
【０１３８】
また、これらの繊維素材２０…の周囲に位置する前記基材樹脂塊４０側の硬化したエポキシ樹脂材は、第１貫通孔５…を形成する部分の内側面で、内径寸法を縮径させる等、変形しにくい。
【０１３９】
このため、第１貫通孔５…の内側面と、引き抜かれる繊維素材２０…の外周面との間に、間隙が形成されて、前記第１貫通孔５…の内側面から、これらの繊維素材２０…が、離間するので抜出しやすい。
【０１４０】
そして、図９中（ｂ）に示すように、前記基材樹脂塊４０の端面が、所定の寸法で、ワイヤカッタ５０等が、用いられて切断されて、平面状のセンサ基材２として成型される。
【０１４１】
このセンサ基材２は、面延設方向と直交する方向へ、前記繊維素材２０…が引き抜かれた後の第１貫通孔５…が、貫通状態で開孔形成されている。
【０１４２】
これらの第１貫通孔５…が形成される位置は、前記繊維素材２０が、前記第２貫通孔６…内の金属線材２１と平行となるように張設されて、仮固定された位置である。
【０１４３】
このため、各第１貫通孔５…と各第２貫通孔６…とが各々形成される位置は、所望の半ピッチづつヅレた位置に、平行でしかも、面延設方向と直交するように垂直に設けられて、良好な寸法位置精度を有して形成出来る。
【０１４４】
従って、熱電対３…の面密度が高いセンサ基材２…となるように、各第１金属接続体１２及び第２金属接続体１１を近接配置したり、或いは、センサ基材２の板厚を薄く設定しても、比較的薄く切断可能で、隣接配置される複数の熱電対３…を各側面２ａ，２ｂ内に良好な位置精度で配列することが出来る。
【０１４５】
よって、熱抵抗を小さく設定出来ると共に、センサ基材２の熱容量も小さく設定出来、被測定物からの吸熱量を減少させて、影響を少なくし、熱流束量の測定が可能となる均衡状態に至るまでの時間を短縮出来る。
【０１４６】
このように、この実施例１では、前記実施の形態の作用効果に加えて、更に、図９中（ｂ）に示すように、前記基材樹脂塊４０が、各金属線材２１…が平行に延設される方向と直交する方向へ、前記センサ基材２の外型形状となるように平板状に切断されると、面内外方向へ貫通した金属線材２１が、所望の間隔を置いて、各々切断されて、前記各第２金属接続体１１…となり、各側面２ａ，２ｂと直交するように配列される。
【０１４７】
従って、比較的小面積のセンサ基材２に、第１貫通孔５…及び第２貫通孔６…を複数形成する孔開け加工や、金属製の熱電対３…を構成する各第１金属接続体１２…及び第２金属接続体１１…を、各第１貫通孔５…及び第２貫通孔６…内に圧入挿通させる作業等が、不要である。
【０１４８】
また、前記金属線材２１を、前記基材樹脂塊４０によって固定される前に、同一形状の前記複数の治具板片１６…を組み合わせてなる前記治具１５を用いて、平行に張設される際の位置精度を良好なものとすることにより、隣接配置される各第１金属接続体１２…及び第２金属接続体１１…間の寸法精度及び平行度や或いは、面内外方向への配列角度の精度を向上させることが出来る。
【０１４９】
更に、この実施例１では、図９中（ｂ）に示すように、前記基材樹脂塊４０内に形成された第２貫通孔６…に設けられる金属線材２１からなる第２金属接続体１１…と、平行に張設された前記繊維素材２０が引き抜かれたことによって、図１４に示すように、マトリクス状等の所望の位置に、第１貫通孔５…が、貫通形成される。
【０１５０】
前記第１貫通孔５…が形成される位置は、前記繊維素材２０…が、前記第２貫通孔６…内の第２金属接続体１１…と平行となるように、前記同一形状の治具板片１６…を組み合わせた治具１５にガイドされて、位置決め張設され、仮固定された位置である。
【０１５１】
このため、各第１，第２貫通孔５…，６…は、所望の位置に良好な寸法精度で、隣接形成されていて、熱電対３…の分布が均質で面密度が高いセンサ基材２として切断されても、隣接配置される複数の熱電対３…を良好な位置精度で、直列配列することが出来る。
【０１５２】
次に、前記実施の形態と略同様に、銅メッキ処理を行う為、図１３中（ａ）に示す様に、エッチング処理が施されて、図１に示す前記端子片７，８及び複数の第１，第２表面金属層９…，１０…を構成する図１５及び図１６中二点鎖線で示す様な前記第１，第２貫通孔５，６…間を面延設方向に沿って接続する必要な部分が交互に、両側面２ａ，２ｂに残される。
【０１５３】
しかしながら、この実施例１では、前記第１貫通孔５…，及び第２貫通孔６…の貫通形成された位置の寸法精度が良好であるので、第１，第２表面金属層９…，１０…により、容易に接続出来、図１３中（ｂ）に示すように、メッキ処理が施される際には、確実に、各第１金属接続体１２…及び、第２金属接続体１１…の端部が、両端子片７，８間で、直列接続される。
【０１５４】
このため、微細なエッチング処理によって、接続不良が発生する虞が減少し、図１３中（ｃ）示すように、センサ基材２の一方の側面２ａ上に短冊状（長方形状）の第１表面金属層９…が、ジグザグに複数個、配列され、他方の側面２ｂ上にジグザグに複数個、配列された図１７，図１８中に示す短冊状の第２表面金属層１０…と共に複数の熱電対３…を、面状に配分して、測定精度が良好なサーモパイル１を構成することができる。
【０１５５】
しかも、この実施例１では、治具１５に、異種金属である第１，第２導電性金属を一本ずつ交互に張設して、同時に配列させる必要が無く、各治具板片１６毎に、予め巻付けられた繊維素材２０の上から、一方の第２金属接続体１１…を構成するコンスタンタン製の金属線材２１が、巻付けられることにより、これらの第２金属接続体１１…と熱電対３…を構成する第１金属接続体１２とが、不必要に接触する虞が無い。
【０１５６】
従って、熱電対３…として用いることが出来る導電性金属素材の多様性を拡大し、製造工程の煩雑化を抑制出来る。
【０１５７】
このように異種金属である第１，第２導電性金属を同時に配列させる必要が無く、熱電対として用いることが出来る第１，第２金属接続体１１，１２…を、マトリクス状に正確に配置出来る。
【０１５８】
更に、図９中（ｂ）に示すように、一定の厚さ方向寸法で、前記基材樹脂塊４０から、予め前記第２金属接続体１１…が埋設された複数のセンサ基材２…となるように切断することにより、図１３中（ｂ）に示すように、一回のメッキ処理で各熱電対３の全接続が略完了するサーモパイル１…を、多数得られるので、更に製造効率が良好である。
【０１５９】
また、この実施例１では、複数枚の治具板片１６…が、組み合わせられた治具１５によって、型枠が形成される。
【０１６０】
このため、センサ基材２の外周縁部を構成する各側辺部の寸法を、連通する前記流入開口部１７の開口面積及び形状によって、略設定出来るので、センサ基材２の二次加工を減少若しくは省略出来る。
【０１６１】
上述してきたように、前治具板片１６…が、複数枚組み合わせられて、型枠となる治具１５が構成されているので、前記センサ基材２の両側面２ａ，２ｂに、所望の間隔、例えば、整列された均等間隔を置いて、前記第１貫通孔５…及び第２貫通孔６…を配列することにより、容易に接続される第１金属接続体１２及び第２金属接続体１１の各端部を対として、整列配置させることが出来る。
【０１６２】
このため、一度に複数の熱電対３…接続作業性が良好な寸法精度で行える。
【０１６３】
この実施例１では、前記配列パターンと、接続される各端部の位置とを、予め前記治具板片１６の各繊維素材ガイド溝１８…及び金属線材ガイド溝１９の形成される位置で、設定することにより、異種金属同士が接続された熱電対３…を、直列接続となるように接続することができる。
【０１６４】
従って、この実施例１のサーモパイル１では、第１金属接続体１２，第２金属接続体１１及び第１，第２表面金属層９，１０間で形成される熱電対３…の配列精度を良好なものとすることにより、熱流束の測定精度を水準以上のものとすることが出来る。
【０１６５】
しかも、予め線状の前記第２導電性金属としてのコンスタンタン素材によって構成される金属線材２１が平行に張設されて、前記第１金属接続体１２が形成される第１貫通孔５…に対しても、平行で、しかも等間隔に配置されて、前記センサ基材２に用いる絶縁性樹脂材料製の基材樹脂塊４０内に埋設固定されている。
【０１６６】
このため、基材樹脂塊４０が、センサ基材２…として切断された後も、これらの金属線材２１が、切断された第２金属接続体１１…が、埋設固定されたまま、正確な位置精度及び配設角度を面内，外方向に対して垂直に維持して、残留される。
【０１６７】
従って、これらの第２金属接続体１１…と、前記第１，第２表面金属層９，１０…と間の接続により構成される熱電対３…の温接続点は、前記第２貫通孔６…の孔中心線上に、正確に配列されるので、所望の規則的な配列として、容易に複数箇所の接続を、銅メッキ等の処理により、行うことが出来る。
【０１６８】
また、これらの温設続点の形成される位置は、前記第１，第２表面金属層９，１０…の銅メッキ処理の施される位置精度による影響を受けにくく、前記第２貫通孔６…の孔中心線上に、常に位置する。
【０１６９】
このため、各熱電対３…の各端部の温接続点を、正確に小さな面積に面状に多数配列出来、前記センサ基材２の面内，外方向に発生する温度差に伴う熱流移動が、熱流束値として、直列回路の両端に設けられる前記端子片７，８から、正確に計測される。
【０１７０】
また、前記基材樹脂塊４０内に埋設された繊維素材は、水溶性のビニロン等、水溶性合成樹脂で構成して、水等によって溶解させることにより、抜出時に、これらの繊維素材を容易に取り除くことが出来る。
【０１７１】
更に、この実施例１では、複数枚の治具板片１６…によって、複数の前記第２金属接続体１１を構成する金属線材２１又は、繊維素材２０が、平行に張設されて、所望の間隔で仮固定される。
【０１７２】
これらの治具板片１６…が、図４に示す様に、前記台座３０の底面部３２から上方へ向けて突設された組付ガイドピン３１によって、ガイドされながら、板厚方向に積層されて組み合わせられると、各治具板片１６…に開口形成された流入開口部１７…が、板厚方向へ向けて連設されて、図６に示す様な前記液状樹脂材４１をこの流入開口部１７から、充填等させたり、或いは、容易に上部から流入させて行き渡らせることが出来る。
【０１７３】
また、この実施例１では、前記治具板片１６…に各々形成された繊維素材ガイド溝１８…に対して、前記第１貫通孔５…を形成する一本の前記繊維素材２０が、各々平行となるように巻付けられると共に、交互に形成される前記金属線材ガイド溝１９に対して、第２金属接続体１１…となる一本の線状の前記金属線材２１が、平行に巻付けられる。
【０１７４】
この際、図５，図１１，１２中（ｃ）に示す繊維素材２０及び金属線材２１とが、折り返される折返端面部１７ｃでは、突設形成された前記ガイド突起部２４，２４によって、各繊維素材２０の一部が、角部２６によって押圧されて正面視略くの字状に屈曲されることにより、金属線材２１の折り曲げ部分との間の干渉が防止されている。
【０１７５】
このため、各繊維素材２０…及び金属線材２１…間の平行状態が、ズレてしまう虞が無く、更に、良好な寸法精度を保つことが出来て、熱電対３…の各側面２ａ，２ｂの分布を均一とすることが出来る。
【０１７６】
他の構成及び作用効果については、前記実施の形態の熱流センサの製造方法と略同一であるので、説明を省略する。
【実施例２】
【０１７７】
図１９は、この発明の実施の形態の実施例１の熱流センサとしてのサーモパイル１の製造方法及びこのサーモパイル１の製造方法に用いる治具を示すものである。
【０１７８】
なお、前記実施の形態及び実施例１と同一乃至均等な部分については、同一符号を付して説明する。
【０１７９】
まず、この実施例２のサーモパイルの製造方法に用いる治具１１５の構成について説明する。
【０１８０】
この実施例２では、実施例１の治具板片１６と略同様に構成されて、幅狭形状を呈する合成樹脂製の治具板片１１６…が、複数枚、板厚方向に積層されて組み合わせられて、治具１１５が形成されている。
【０１８１】
これらの治具板片１１６…の周囲には、断面凹状の型枠槽１１７が設けられている。
【０１８２】
そして、この型枠槽１１７の内側面部１１７ａによって、貯留された絶縁性樹脂材料としてのエポキシ液状樹脂材が充填されて硬化する際に、前記センサ基材２…を形成する液状樹脂材４１の各外周側面の位置が規制されるように構成されている。
【０１８３】
このように構成された実施例２のサーモパイルの製造方法及びこの製造方法に用いる治具１１５では、前記型枠槽１１７等によって構成される型枠形状に沿って、前記略直方体形状の基材樹脂塊４０が、型取りされて取り出される。
【０１８４】
このため、前記実施例１の液状樹脂材槽４２の容積に比して、少ない容積の型枠槽１１７を用いることにより、前記液状樹脂材４１の使用量を減少させることが出来、原材料に比して、製品として成型されたセンサ基材２…を構成するエポキシ樹脂の割合を増大させることが出来る。
【０１８５】
他の構成、及び作用効果については、前記実施の形態及び実施例１と、同一乃至均等であるので、説明を省略する。
【０１８６】
以上、本発明の実施の形態の実施例１及び実施例２の熱流センサの製造方法及び該製造方法に用いる治具を、図１乃至図１９を用いて説明してきたが、特にこれに限らず、例えば、この実施の形態の熱流センサでは、前記基材樹脂塊内には、前記一方の第２金属線材であるコンスタンタン製の金属線が、平行に張設されて固定されているが、特にこれに限らず、他の金属製素材で構成されて、異種金属間で熱電対を構成可能で、複数の熱電対が所望の間隔を置いて配列なものであれば、どのようなものであっても良く、例えば、前記第１，第２金属線材の両方が、予め平行に張設されて固定されていても、溶融材料を面延設へ流して構成される金属層によって接続するものであってもよい。
【０１８７】
また、第１貫通孔の位置に、予め繊維素材を平行に張設すると共に、第２貫通孔の位置に、金属製材料を平行に張設しているが、特にこれに限らず、第１，第２貫通孔に予め繊維素材を平行に張設しても、また、第１，第２貫通孔に予め、熱電対となる異種金属線材を平行に張設してもよい。
【０１８８】
更に、前記実施の形態では、水溶性を有する繊維素材として、ナイロン系合成繊維を用いて説明してきたが、特にこれに限らず、例えばビニロン等、水溶性を有する繊維素材で、しかも、センサ基材であるエポキシ樹脂との接着性が低いものであれば、更に良い。
【産業上の利用可能性】
【０１８９】
本発明に係わる熱流センサは、建築の分野で、建材としての断熱材の開発等に用いられ、施工後でも、外側面又は内側面から添着させることにより、容易に、温度測定、放射熱量若しくは、熱流束の測定に用いることが出来る。
【０１９０】
また、パイル状に構成されたサーモパイルに用いることにより、点着可能な外表面形状を呈する被測定物を広く全般に計測することが出来、熱流センサ及び温度センサとして、広い範囲で受熱した熱の空間的な平均を採用した熱流束の測定が可能となり、良好な測定精度が必要とされる他の分野、例えば、人体温度測定、各種産業機器、ＯＡ機器、車両等の運輸機器等の温度測定、放射熱量若しくは、熱流束の測定に用いて好適なものである。
【符号の説明】
【０１９１】
１            サーモパイル（熱流センサ）
２            センサ基材
３            熱電対
５            第１貫通孔
６            第２貫通孔
９            第１表面金属層
１０          第２表面金属層
１１          第２金属接続体（第２導電性金属）
１２          第１金属接続体（第１導電性金属）
１５，１１５  治具
１６，１１６  治具板片
１７          流入開口部
１８          繊維素材ガイド溝（表，裏側第１溝部）
１９          金属線材ガイド溝（表，裏側第２溝部）
２０          繊維素材
２１          金属線材
２４          ガイド突起部
４０          基材樹脂塊
４１          液状樹脂材
【図１】
0005523985.tif 000002
【図２】
0005523985.tif 000003
【図３】
0005523985.tif 000004
【図４Ａ】
0005523985.tif 000005
【図４Ｂ】
0005523985.tif 000006
【図５】
0005523985.tif 000007
【図６】
0005523985.tif 000008
【図７】
0005523985.tif 000009
【図８】
0005523985.tif 000010
【図９】
0005523985.tif 000011
【図１０】
0005523985.tif 000012
【図１１】
0005523985.tif 000013
【図１２】
0005523985.tif 000014
【図１３】
0005523985.tif 000015
【図１４】
0005523985.tif 000016
【図１５】
0005523985.tif 000017
【図１６】
0005523985.tif 000018
【図１７】
0005523985.tif 000019
【図１８】
0005523985.tif 000020
【図１９】
0005523985.tif 000021
【図４Ｃ】
0005523985.tif 000022